(57)【要約】【課題】  車内でのユーザ間のコミュニケーションを活性化する。【解決手段】  一実施形態に係るレコメンドシステムは、車両の各座席に設置された複数のコンテンツ再生装置と、各座席に着席したユーザの嗜好情報を収集する嗜好情報収集部と、対象座席に着席した対象ユーザの前記嗜好情報と、前記対象座席とは異なる他の座席に着席した他のユーザの前記嗜好情報と、に基づいて、前記対象ユーザ及び前記他のユーザがいずれも嗜好する共通コンテンツを選択するコンテンツ選択部と、前記対象座席に設置された前記コンテンツ再生装置のレコメンド画面に前記共通コンテンツを表示させることにより、前記対象ユーザに前記共通コンテンツをレコメンドするレコメンド部と、を備える。【選択図】  図４
2019109725.tif 000002
【特許請求の範囲】
【請求項１】
車両の各座席に設置された複数のコンテンツ再生装置と、
各座席に着席したユーザの嗜好情報を収集する嗜好情報収集部と、
対象座席に着席した対象ユーザの前記嗜好情報と、前記対象座席とは異なる他の座席に着席した他のユーザの前記嗜好情報と、に基づいて、前記対象ユーザ及び前記他のユーザがいずれも嗜好する共通コンテンツを選択するコンテンツ選択部と、
前記対象座席に設置された前記コンテンツ再生装置のレコメンド画面に前記共通コンテンツを表示させることにより、前記対象ユーザに前記共通コンテンツをレコメンドするレコメンド部と、
を備えるレコメンドシステム。
【請求項２】
前記レコメンド画面は、各座席に対応する複数の表示領域を有し、
前記レコメンド部は、前記対象座席に設置された前記コンテンツ再生装置の前記レコメンド画面における前記他の座席に対応する前記表示領域に、前記共通コンテンツを表示させる
請求項１に記載のレコメンドシステム。
【請求項３】
前記レコメンド部は、前記対象座席に設置された前記コンテンツ再生装置の前記レコメンド画面における前記他の座席に対応する前記表示領域に、前記共通コンテンツを示すアイコンを表示させる
請求項２に記載のレコメンドシステム。
【請求項４】
前記嗜好情報収集部は、各座席に着席した前記ユーザの前記嗜好情報として、各座席に設置された前記コンテンツ再生装置で再生されたコンテンツのコンテンツ情報を収集する
請求項１から請求項３までのいずれか１項に記載のレコメンドシステム。
【請求項５】
前記コンテンツ選択部は、複数のコンテンツのそれぞれについて、前記対象ユーザ及び前記他のユーザの嗜好度合いを算出し、前記嗜好度合いに基づいて、前記複数のコンテンツの中から前記共通コンテンツを選択する
請求項１から請求項４までのいずれか１項に記載のレコメンドシステム。
【発明の詳細な説明】
【技術分野】
【０００１】
本発明は、レコメンドシステムに関する。
【背景技術】
【０００２】
近年、映像や音楽などのコンテンツを再生可能なコンテンツ再生装置が座席ごとに設置された車両が販売されている。このような車両では、各座席に着席したユーザは、自分の好みのコンテンツを、自分の座席に設置されたコンテンツ再生装置で再生し、楽しむことができる。また、各ユーザに、そのユーザの嗜好にあったコンテンツをレコメンドする方法も提案されている。
【先行技術文献】
【特許文献】
【０００３】
【特許文献１】特開２０１５−１３８５００号公報
【発明の概要】
【発明が解決しようとする課題】
【０００４】
しかしながら、上記従来の車両では、他のユーザどのようなコンテンツを再生しているかわからなかったため、他のユーザとのコミュニケーションがとりにくいという問題があった。また、他のユーザが再生しているコンテンツがわかったとしても、そのコンテンツに自分が興味を持たない場合、当該コンテンツをきっかけにしても会話が盛り上がらないという問題もあった。
【０００５】
本発明は、上記の課題に鑑みてなされたものであり、車内でのユーザ間のコミュニケーションを活性化することを目的とする。
【課題を解決するための手段】
【０００６】
一実施形態に係るレコメンドシステムは、車両の各座席に設置された複数のコンテンツ再生装置と、各座席に着席したユーザの嗜好情報を収集する嗜好情報収集部と、対象座席に着席した対象ユーザの前記嗜好情報と、前記対象座席とは異なる他の座席に着席した他のユーザの前記嗜好情報と、に基づいて、前記対象ユーザ及び前記他のユーザがいずれも嗜好する共通コンテンツを選択するコンテンツ選択部と、前記対象座席に設置された前記コンテンツ再生装置のレコメンド画面に前記共通コンテンツを表示させることにより、前記対象ユーザに前記共通コンテンツをレコメンドするレコメンド部と、を備える。
【発明の効果】
【０００７】
本発明の各実施形態によれば、車内でのユーザ間のコミュニケーションを活性化することができる。
【図面の簡単な説明】
【０００８】
【図１】レコメンドシステムの構成の一例を示す図。
【図２】レコメンドサーバのハードウェア構成の一例を示す図。
【図３】レコメンドシステムの機能構成の一例を示す図。
【図４】レコメンド画面の一例を示す図。
【図５】レコメンドシステムの動作の一例を示す図。
【図６】レコメンド画面の一例を示す図。
【図７】レコメンド画面の一例を示す図。
【図８】レコメンド画面の一例を示す図。
【図９】レコメンド画面の一例を示す図。
【発明を実施するための形態】
【０００９】
以下、本発明の各実施形態について、添付の図面を参照しながら説明する。なお、各実施形態に係る明細書及び図面の記載に関して、実質的に同一の機能構成を有する構成要素については、同一の符号を付することにより重畳した説明を省略する。
【００１０】
一実施形態に係るレコメンドシステム１００について、図１〜図９を参照して説明する。本実施形態に係るレコメンドシステム１００は、各座席Ｓにコンテンツ再生装置２が設置された車両Ｖに適用される。コンテンツ再生装置２は、車両Ｖに複数設置されていればよく、全ての座席Ｓに設置されていることを要しない。レコメンドシステム１００は、ある座席に設置されたコンテンツ再生装置２のレコメンド画面により、当該座席に着席しているユーザに、当該ユーザ及び他のユーザがいずれも嗜好するコンテンツをレコメンドすることにより、当該ユーザに他のユーザとの共通の話題を提供し、車内でのユーザ間のコミュニケーションを活性化させる。
【００１１】
まず、レコメンドシステム１００の構成について説明する。図１は、レコメンドシステム１００の構成の一例を示す図である。図１の例では、レコメンドシステム１００が、４つの座席Ｓ１〜Ｓ４を有し、各座席Ｓ１〜Ｓ４にコンテンツ再生装置２１〜２４が設置された車両Ｖに適用された場合を想定している。各座席Ｓ１〜Ｓ４には、コンテンツ再生装置２１〜２４のユーザＵ１〜Ｕ４がそれぞれ着席している。以下、座席Ｓ１〜Ｓ４、コンテンツ再生装置２１〜２４、及びユーザＵ１〜Ｕ４を区別しない場合、それぞれ座席Ｓ、コンテンツ再生装置２、及びユーザＵと称する。なお、車両Ｖの座席Ｓの数は、４つに限られない。また、座席Ｓには、空席が含まれてもよい。
【００１２】
図１のレコメンドシステム１００は、レコメンドサーバ１と、コンテンツ再生装置２１〜２４と、中継装置３と、コンテンツ配信サーバ４と、を備える。
【００１３】
レコメンドサーバ１は、各ユーザにコンテンツをレコメンドするサーバであり、１つ又は複数のサーバコンピュータにより構成される。レコメンドサーバ１は、有線又は無線でネットワークＮに接続され、ネットワークＮを介して、中継装置３及びコンテンツ配信サーバ４と通信する。ネットワークＮは、インターネットやＬＡＮ（Local Area Network）を含むネットワークである。なお、図１の例では、レコメンドサーバ１が車両Ｖの外部に設けられたクラウドサーバである場合を想定しているが、レコメンドサーバ１は車両Ｖに搭載されてもよい。
【００１４】
コンテンツ再生装置２は、コンテンツを再生可能なコンピュータである。コンテンツには、映画、音楽、ニュース、動画、及びゲームなどが含まれる。コンテンツ再生装置２は、車両Ｖの各座席Ｓに設置されている。
【００１５】
中継装置３は、各コンテンツ再生装置２と外部装置（レコメンドサーバ１及びコンテンツ配信サーバ４）との間の通信を中継する通信装置である。中継装置３は、各コンテンツ再生装置２と有線で接続され、ネットワークＮと無線で接続される。なお、図１の例では、中継装置３が各コンテンツ再生装置２とは別に設けられる場合を想定しているが、コンテンツ再生装置２のいずれかが中継装置３の機能を有してもよい。
【００１６】
コンテンツ配信サーバ４は、コンテンツ再生装置２で再生するコンテンツを配信するサーバであり、１つ又は複数のサーバコンピュータにより構成される。コンテンツ配信サーバ４は、有線又は無線でネットワークＮに接続され、ネットワークＮを介して、レコメンドサーバ１及び中継装置３と通信する。コンテンツ配信サーバ４が配信したコンテンツは、ネットワークＮ及び中継装置３を介して、コンテンツ再生装置２に提供される。
【００１７】
次に、レコメンドシステム１００のハードウェア構成について説明する。図２は、レコメンドサーバ１のハードウェア構成の一例を示す図である。図２のレコメンドサーバ１は、ＣＰＵ（Central Processing Unit）１０１と、ＲＯＭ（Read Only Memory）１０２と、ＲＡＭ（Random Access Memory）１０３と、ＨＤＤ（Hard Disk Drive）１０４と、入力装置１０５と、表示装置１０６と、を備える。また、レコメンドサーバ１は、通信インタフェース１０７と、バス１０８と、を備える。
【００１８】
ＣＰＵ１０１は、プログラムを実行することにより、レコメンドサーバ１の各構成を制御し、レコメンドサーバ１の機能を実現する。
【００１９】
ＲＯＭ１０２は、ＣＰＵ１０１が実行するプログラムや各種のデータを記憶する。
【００２０】
ＲＡＭ１０３は、ＣＰＵ１０１に作業領域を提供する。
【００２１】
ＨＤＤ１０４は、ＣＰＵ１０１が実行するプログラムや各種のデータを記憶する。
【００２２】
入力装置１０５は、ユーザの操作に応じた情報をレコメンドサーバ１に入力する。入力装置１０５は、タッチパネル、キーボード、マウス、ハードウェアボタンなどで有り得る。
【００２３】
表示装置１０６は、ユーザの操作に応じた画面を表示する。表示装置１０６は、液晶ディスプレイ、有機ＥＬ（Electro Luminescence）ディスプレイなどで有り得る。
【００２４】
通信インタフェース１０７は、レコメンドサーバ１をネットワークＮに接続し、ネットワークＮを介した外部装置（中継装置３やコンテンツ配信サーバ４）との通信を制御する。
【００２５】
バス１０８は、ＣＰＵ１０１、ＲＯＭ１０２、ＲＡＭ１０３、ＨＤＤ１０４、入力装置１０５、表示装置１０６、及び通信インタフェース１０７を相互に接続する。
【００２６】
なお、図１の例では、レコメンドサーバ１が１つのサーバコンピュータにより構成される場合を想定しているが、上述の通り、レコメンドサーバ１は、複数のサーバコンピュータにより構成されてもよい。また、レコメンドサーバ１は、マイコン、ＰＣ、スマートフォン、又はタブレット端末などにより構成されてもよい。コンテンツ再生装置２、中継装置３、及びコンテンツ配信サーバ４のハードウェア構成は、レコメンドサーバ１と同様であるため説明を省略する。ただし、中継装置３は表示装置を備えなくてもよい。
【００２７】
次に、レコメンドシステム１００の機能構成について説明する。図３は、レコメンドシステム１００の機能構成の一例を示す図である。図３のレコメンドシステム１００は、表示制御部１１ａ〜１１ｄと、嗜好情報収集部１２と、コンテンツ記憶部１３と、コンテンツ選択部１４と、レコメンド部１５と、を備える。
【００２８】
表示制御部１１ａ〜１１ｄは、それぞれコンテンツ再生装置２１〜２４のＣＰＵがプログラムを実行することにより実現され、コンテンツ再生装置２１〜２４の表示装置に各種の画面を表示させる。本実施形態において、表示制御部１１ａ〜１１ｄは、ホーム画面、コンテンツ再生画面、設定画面、及びレコメンド画面を表示させる。レコメンド画面については後述する。以下、表示制御部１１ａ〜１１ｄを区別しない場合、表示制御部１１と称する。
【００２９】
嗜好情報収集部１２は、各座席Ｓに着席した各ユーザＵの嗜好情報を収集する。ユーザＵの嗜好情報とは、ユーザＵの嗜好（興味の対象）を示す情報である。嗜好情報収集部１２は、中継装置３のＣＰＵがプログラムを実行することにより実現される。図３の例では、嗜好情報収集部１２は、各ユーザＵ１〜Ｕ４の嗜好情報をそれぞれ収集する。
【００３０】
嗜好情報収集部１２は、例えば、各コンテンツ再生装置２で再生されたコンテンツのコンテンツ情報を、各コンテンツ再生装置２のユーザＵの嗜好情報として収集する。コンテンツ情報には、コンテンツの属性を示す属性情報と、コンテンツ自体のデータと、が含まれる。属性情報には、コンテンツに付与されたタグ情報や、コンテンツのタイトルなどが含まれる。コンテンツ再生装置２で再生されたコンテンツがニュースなどのテキストデータである場合、嗜好情報収集部１２は、テキストデータから抽出したキーワードを、嗜好情報として収集してもよい。また、嗜好情報収集部１２は、各ユーザＵの携帯端末（スマートフォン、タブレット端末、携帯電話、ノートＰＣ（Personal Computer）など）と通信可能である場合、各ユーザＵの携帯端末から取得した情報を、各ユーザＵの嗜好情報として収集してもよい。
【００３１】
コンテンツ記憶部１３は、コンテンツ再生装置２に配信可能な複数のコンテンツのコンテンツ情報を記憶する。コンテンツ記憶部１３は、コンテンツ配信サーバ４のＨＤＤなどにより実現される。コンテンツ配信サーバ４は、コンテンツ再生装置２からの要求に応じて、コンテンツ記憶部１３に記憶されたコンテンツ情報を当該コンテンツ再生装置２に送信する（コンテンツを配信する）。これにより、コンテンツ再生装置２のユーザＵは、自分の座席Ｓに設置されたコンテンツ再生装置２で所望のコンテンツを再生し、楽しむことができる。
【００３２】
コンテンツ選択部１４は、嗜好情報収集部１２が収集した、対象ユーザの嗜好情報と、他のユーザの嗜好情報と、に基づいて、コンテンツ記憶部１３に記憶された複数のコンテンツの中から、共通コンテンツを選択する。対象ユーザとは、共通コンテンツのレコメンド対象となるユーザＵのことである。対象ユーザの座席Ｓを対象座席と称する。他のユーザとは、対象座席とは異なる座席Ｓに着席している、対象ユーザとは異なるユーザＵのことである。共通コンテンツは、対象ユーザ及び他のユーザがいずれも嗜好する（興味を持つ）コンテンツのことである。コンテンツ選択部１４は、レコメンドサーバ１のＣＰＵ１０１がプログラムを実行することにより実現される。
【００３３】
具体的には、コンテンツ選択部１４は、対象ユーザの嗜好情報に基づいて、コンテンツ記憶部１３に記憶された複数のコンテンツのそれぞれについて、対象ユーザの嗜好度合いを算出する。より詳細には、コンテンツ選択部１４は、コンテンツ記憶部１３に記憶された各コンテンツのコンテンツ情報と、対象ユーザの嗜好情報と、の類似度を、各コンテンツに対する対象ユーザの嗜好度合いとして算出する。
【００３４】
同様に、コンテンツ選択部１４は、他のユーザの嗜好情報に基づいて、コンテンツ記憶部１３に記憶された複数のコンテンツのそれぞれについて、他のユーザの嗜好度合いを算出する。より詳細には、コンテンツ選択部１４は、コンテンツ記憶部１３に記憶された各コンテンツのコンテンツ情報と、他のユーザの嗜好情報と、の類似度を、各コンテンツに対する他のユーザの嗜好度合いとして算出する。
【００３５】
これは、ユーザＵの嗜好情報と類似度が高いコンテンツ情報を有するコンテンツほど、ユーザＵが嗜好する（興味を持つ）度合いが大きいと考えられるためである。この際、コンテンツ選択部１４は、各嗜好情報に重み付けをした上で嗜好度合いを算出するのが好ましい。これは、より新たしく得られた嗜好情報や、より頻繁に得られた嗜好情報ほど、ユーザＵの嗜好をより強く反映していると考えられるためである。このような嗜好情報に大きな重みを付与した上で嗜好度合いを算出することにより、実際のユーザＵの嗜好度合いに近い嗜好度合いを算出することができる。なお、嗜好度合い（類似度）の算出方法として、既存の任意の方法を利用できる。
【００３６】
そして、コンテンツ選択部１４は、コンテンツ記憶部１３に記憶された複数のコンテンツの中から、対象ユーザ及び他のユーザの嗜好度合いが大きいコンテンツを、共通コンテンツとして選択する。コンテンツ選択部１４は、例えば、対象ユーザ及び他のユーザの嗜好度合いの合計が最大のコンテンツを共通コンテンツとして選択してもよい。この場合、コンテンツ選択部１４は、対象ユーザ及び他のユーザの組ごとではなく、ユーザＵの組ごとに共通コンテンツを選択してもよい。すなわち、ユーザＵｘ（対象ユーザ）及びユーザＵｙ（他のユーザ）の共通コンテンツを選択した場合、ユーザＵｙ（対象ユーザ）及びユーザＵｘ（他のユーザ）の共通コンテンツを選択しなくてもよい。これは、対象ユーザ及び他のユーザの嗜好度合いに重み付けをしない場合、ユーザＵｘ（対象ユーザ）及びユーザＵｙ（他のユーザ）の共通コンテンツと、ユーザＵｙ（対象ユーザ）及びユーザＵｘ（他のユーザ）の共通コンテンツと、が同じになるためである。ユーザＵの組ごとに共通コンテンツを選択することにより、対象ユーザ及び他のユーザの組ごとに共通コンテンツを選択する場合に比べて、共通コンテンツの選択に要する処理を半減させることができる。
【００３７】
また、コンテンツ選択部１４は、対象ユーザ及び他のユーザの嗜好度合いに重み付けをした合計が最大のコンテンツを共通コンテンツとして選択してもよい。対象ユーザ又は他のユーザの嗜好度合いに大きな重みを付与した上で共通コンテンツを選択することにより、コンテンツ選択部１４は、対象ユーザ又は他のユーザの嗜好をより強く反映した共通コンテンツを選択することができる。
【００３８】
ここで、対象ユーザがユーザＵ１であり、他のユーザがユーザＵ２である場合について考える。この場合、コンテンツ選択部１４は、ユーザＵ１の嗜好情報に基づいて、コンテンツ記憶部１３に記憶された各コンテンツについて、ユーザＵ１の嗜好度合いを算出する。同様に、コンテンツ選択部１４は、ユーザＵ２の嗜好情報に基づいて、コンテンツ記憶部１３に記憶された各コンテンツについて、ユーザＵ２の嗜好度合いを算出する。そして、コンテンツ選択部１４は、各コンテンツについて算出されたユーザＵ１，Ｕ２の嗜好度合いに基づいて、ユーザＵ１，Ｕ２の共通コンテンツを選択する。
【００３９】
なお、共通コンテンツの選択方法は、上記の例に限られない。コンテンツ選択部１４は、既存の任意の方法を利用して、共通コンテンツを選択することができる。
【００４０】
レコメンド部１５は、コンテンツ選択部１４が選択した対象ユーザの共通コンテンツを、対象座席に設置されたコンテンツ再生装置２のレコメンド画面に表示させることにより、対象ユーザに共通コンテンツをレコメンドする。レコメンド部１５は、レコメンドサーバ１のＣＰＵ１０１がプログラムを実行することにより実現される。具体的には、レコメンド部１５は、共通コンテンツを示すアイコンを、レコメンド画面に表示させることにより、共通コンテンツをレコメンドする。
【００４１】
ここで、コンテンツ再生装置２に表示されるレコメンド画面について説明する。図４は、レコメンド画面の一例を示す図である。図４のレコメンド画面は、座席Ｓ１に設置されたコンテンツ再生装置２ａに表示されるレコメンド画面に相当する。
【００４２】
図４のレコメンド画面は、車両Ｖの各座席Ｓ１〜Ｓ４に対応する表示領域Ｒ１〜Ｒ４を有する。表示領域Ｒ１〜Ｒ４は、それぞれ座席Ｓ１〜Ｓ４に対応するように配置される。例えば、図１の例では、座席Ｓ１は、車両Ｖの左上に位置するため、座席Ｓ１に対応する表示領域Ｒ１は、図４に示すように、レコメンド画面の左上に配置される。表示領域Ｒ２〜Ｒ４についても同様である。
【００４３】
表示領域Ｒ１〜Ｒ４には、それぞれユーザＵ１〜Ｕ４に関する情報が表示される。具体的には、自装置（コンテンツ再生装置２）が設置された座席Ｓに対応する表示領域Ｒには、自装置のユーザＵが再生したコンテンツの履歴情報が表示される。図４の例では、コンテンツ再生装置２ａが設置された座席Ｓ１に対応する表示領域Ｒ１には、ユーザＵ１が再生したコンテンツの履歴情報として、ユーザＵ１が再生したコンテンツを示すアイコンｉｃ１１〜ｉｃ１４が表示されている。レコメンド画面の中央に近いアイコンほど、新しく再生されたコンテンツを示している。なお、レコメンド画面の中央には、自装置のユーザが現在再生中のコンテンツを示すアイコンｉｃ０１が表示される。なお、再生中のコンテンツには、実際に再生されているコンテンツだけでなく、一時停止中のコンテンツや、そのコンテンツの再生終了後に次のコンテンツが再生されていないコンテンツが含まれる。
【００４４】
また、自装置が設置された座席Ｓとは異なる他の座席に対応する表示領域Ｒには、自装置のユーザＵにレコメンドされた、他の座席に着席したユーザＵとの共通コンテンツの履歴情報が表示される。例えば、図４の例では、コンテンツ再生装置２ａが設置された座席Ｓ１とは異なる座席Ｓ２に対応する表示領域Ｒ２には、ユーザＵ１にレコメンドされた、座席Ｓ２に着席したユーザＵ２との共通コンテンツの履歴情報として、ユーザＵ１にレコメンドされた共通コンテンツを示すアイコンｉｃ２１〜ｉｃ２４が表示されている。レコメンド画面の中央に近いアイコンほど、新しくレコメンドされた共通コンテンツを示している。アイコンｉｃ２１は、直近にレコメンドされた共通コンテンツを示すアイコンに相当する。
【００４５】
ユーザＵ１は、図４のようなレコメンド画面を確認することにより、他のユーザＵ２〜Ｕ４との共通コンテンツを容易に把握することができる。なお、レコメンド画面に表示されるアイコンは、いずれも選択操作（タップやクリック）により、対応するコンテンツを再生可能であるのが好ましい。
【００４６】
次に、レコメンドシステム１００の動作について説明する。図５は、レコメンドシステム１００の動作の一例を示す図である。
【００４７】
嗜好情報収集部１２は、定期的に、又は所定のタイミングで、各ユーザＵの嗜好情報を収集する（ステップＳ１０１）。所定のタイミングとして、例えば、いずれかのユーザＵが新たなコンテンツを再生したタイミングや、いずれかのコンテンツ再生装置２が起動されたタイミングが考えられる。嗜好情報収集部１２は、各ユーザＵの嗜好情報を収集すると、収集した嗜好情報を、ネットワークＮを介して、レコメンドサーバ１に送信する。
【００４８】
レコメンドサーバ１が各ユーザの嗜好情報を受信すると、コンテンツ選択部１４は、受信した嗜好情報を記憶し、車両Ｖに搭乗した複数のユーザＵの中から対象ユーザを選択する（ステップＳ１０２）。
【００４９】
次に、コンテンツ選択部１４は、車両Ｖに搭乗した複数のユーザＵのうち対象ユーザ以外のユーザＵの中から、他のユーザを選択する（ステップＳ１０３）。
【００５０】
続いて、コンテンツ選択部１４は、コンテンツ配信サーバ４から、共通コンテンツの選択に利用するコンテンツ情報を受信し、受信したコンテンツ情報と、対象ユーザ及び他のユーザの嗜好情報と、に基づいて、コンテンツ記憶部１３に記憶された複数のコンテンツの中から共通コンテンツを選択する（ステップＳ１０４）。これにより、ステップＳ１０２で選択された対象ユーザと、ステップＳ１０３で選択された他のユーザと、がいずれも嗜好する共通コンテンツが選択される。
【００５１】
その後、コンテンツ選択部１４は、車両Ｖに搭乗した複数のユーザＵのうち対象ユーザ以外の全てのユーザＵが、他のユーザとして選択されたか確認する（ステップＳ１０５）。他のユーザとして未選択のユーザＵがいる場合（ステップＳ１０５のＮＯ）、コンテンツ選択部１４は、他のユーザとして未選択のユーザＵを、次の他のユーザとして選択する（ステップＳ１０３）。
【００５２】
一方、車両Ｖに搭乗した複数のユーザＵのうち対象ユーザ以外の全てのユーザＵが他のユーザとして選択された場合（ステップＳ１０５のＹＥＳ）、車両Ｖに搭乗した全てのユーザＵが対象ユーザとして選択されたか確認する（ステップＳ１０６）。対象ユーザとして未選択のユーザＵがいる場合（ステップＳ１０６のＮＯ）、コンテンツ選択部１４は、対象ユーザとして未選択のユーザＵを、次の対象ユーザとして選択する（ステップＳ１０２）。
【００５３】
一方、車両Ｖに搭乗した全てのユーザＵが対象ユーザとして選択された場合（ステップＳ１０６のＹＥＳ）、コンテンツ選択部１４は、共通コンテンツの選択結果をレコメンド部１５に渡す。共通コンテンツの選択結果には、対象ユーザ及び他のユーザごとの、共通コンテンツを示す情報が含まれる。
【００５４】
レコメンド部１５は、コンテンツ選択部１４から共通コンテンツの選択結果を受け取ると、ネットワークＮ及び中継装置３を介して、各コンテンツ再生装置２にそれぞれ選択結果を送信する（ステップＳ１０７）。具体的には、レコメンド部１５は、ユーザＵ１を対象ユーザとした選択結果、すなわち、ユーザＵ１（対象ユーザ）及びユーザＵ２〜Ｕ４（他のユーザ）の共通コンテンツを示す情報を、コンテンツ再生装置２１に送信する。ユーザＵ２〜Ｕ４を対象ユーザとした選択結果についても同様である。
【００５５】
各コンテンツ再生装置２が選択結果を受信すると、各表示制御部１１は、自装置のユーザＵにレコメンドする共通コンテンツを、選択結果に従って更新する。具体的には、直近にレコメンドされた共通コンテンツを示すアイコンを、受信した選択結果に応じた新たな共通コンテンツを示すアイコンに更新する。これにより、ユーザＵがレコメンド画面を表示すると、新たな共通コンテンツを示すアイコンが、直近にレコメンドされた共通コンテンツを示すアイコンとして、各表示領域Ｒに表示される。すなわち、新たな共通コンテンツがユーザＵにレコメンドされる。
【００５６】
ここで、レコメンド画面の変化について具体的に説明する。図６及び図７は、コンテンツ再生装置２ａに表示されたレコメンド画面の一例を示す図である。上述の通り、コンテンツ再生装置２ａのレコメンド画面の表示領域Ｒ１には、ユーザＵ１が再生したコンテンツを示すアイコンが表示され、表示領域Ｒ２には、ユーザＵ１にレコメンドされたユーザＵ１，Ｕ２の共通コンテンツを示すアイコンが表示されは、中央には、ユーザＵ１が再生中のコンテンツを示すアイコンが表示される。
【００５７】
図６の例では、ユーザＵ１は、「カリブ海リゾート」を再生中であり、過去に「再生コンテンツＡ」〜「再生コンテンツＤ」を再生しており、ユーザＵ２との共通コンテンツとして「ビーチヨガ」を直近にレコメンドされており、ユーザＵ２との共通コンテンツとして過去に「共通コンテンツＡ」〜「共通コンテンツＣ」をレコメンドされている。
【００５８】
図６の状態で、ユーザＵ１が「ビーチヨガ」のアイコンを選択操作すると、表示制御部１１ａは、レコメンド画面をコンテンツ再生画面に切り替え、「ビーチヨガ」を再生する。その後、ユーザＵ１がレコメンド画面を表示すると、図７に示すように、再生中のコンテンツが「ビーチヨガ」になり、「カリブ海リゾート」は過去に再生されたコンテンツとして表示領域Ｒ１に表示される。
【００５９】
また、ユーザＵ１が「ビーチヨガ」を再生すると、嗜好情報収集部１２が「ビーチヨガ」のコンテンツ情報をユーザＵ１の嗜好情報として収集し、コンテンツ選択部１４に送信する。コンテンツ選択部１４は、ユーザＵ１の新たな嗜好情報を受信すると、当該嗜好情報に基づいて、ユーザＵ１を対象ユーザ又は他のユーザとした共通コンテンツを更新し、更新された共通コンテンツをレコメンド部１５がコンテンツ再生装置２ａ〜２ｄに送信する。コンテンツ再生装置２ａの表示制御部１１ａは、新たな共通コンテンツを受信すると、当該共通コンテンツを直近にレコメンドされた共通コンテンツとしてレコメンド画面に表示させる。
【００６０】
この結果、図７に示すように、直近にレコメンドされた共通コンテンツが新たなコンテンツである「ヨガ教室」に変更され、「ビーチヨガ」は、前回レコメンドされた共通コンテンツとして表示領域Ｒ２に表示される。なお、図７では省略されているが、表示領域Ｒ３，Ｒ４も、表示領域Ｒ２と同様に変化する。
【００６１】
このように、ユーザＵ１が自装置（コンテンツ再生装置２ａ）で新たなコンテンツを再生すると、ユーザＵ１と他のユーザとの共通コンテンツが自動的に更新され、新たな共通コンテンツがユーザＵ１にレコメンドされる。
【００６２】
図８及び図９は、コンテンツ再生装置２ａ，２ｂに表示されたレコメンド画面の一例を示す図である。上述の通り、コンテンツ再生装置２ａのレコメンド画面の表示領域Ｒ１には、ユーザＵ１が再生したコンテンツを示すアイコンが表示され、表示領域Ｒ２には、ユーザＵ１にレコメンドされたユーザＵ１，Ｕ２の共通コンテンツを示すアイコンが表示されは、中央には、ユーザＵ１が再生中のコンテンツを示すアイコンが表示される。また、コンテンツ再生装置２ｂのレコメンド画面の表示領域Ｒ１には、ユーザＵ２にレコメンドされたユーザＵ１，Ｕ２の共通コンテンツを示すアイコンが表示され、表示領域Ｒ２には、ユーザＵ２が再生したコンテンツを示すアイコンが表示され、中央には、ユーザＵ２が再生中のコンテンツを示すアイコンが表示される。
【００６３】
図８におけるコンテンツ再生装置２ａのレコメンド画面は、図６と同様である。一方、図８の例では、ユーザＵ２は、「フィットネスプラン」を再生中であり、過去に「再生コンテンツＥ」〜「再生コンテンツＧ」，「ファッションウィーク」を再生しており、ユーザＵ１との共通コンテンツとして「ビーチヨガ」を直近にレコメンドされており、ユーザＵ１との共通コンテンツとして過去に「共通コンテンツＡ」〜「共通コンテンツＣ」をレコメンドされている。図８及び図９の例では、ユーザＵ１及びユーザＵ２に互いに同一の共通コンテンツがレコメンドされる場合を想定している。
【００６４】
図８の状態で、ユーザＵ２が過去に再生した「ファッションウィーク」のアイコンを再び選択操作すると、表示制御部１１ｂは、レコメンド画面をコンテンツ再生画面に切り替え、「ファッションウィーク」を再生する。その後、ユーザＵ２がレコメンド画面を表示すると、図９に示すように、再生中のコンテンツが「ファッションウィーク」になり、「フィットネスプラン」は過去に再生されたコンテンツとして表示領域Ｒ２に表示される。
【００６５】
また、ユーザＵ２が「ファッションウィーク」を再生すると、嗜好情報収集部１２が「ファッションウィーク」のコンテンツ情報をユーザＵ２の嗜好情報として収集し、コンテンツ選択部１４に送信する。コンテンツ選択部１４は、ユーザＵ２の新たな嗜好情報を受信すると、当該嗜好情報に基づいて、ユーザＵ２を対象ユーザ又は他のユーザとした共通コンテンツを更新し、更新された共通コンテンツをレコメンド部１５がコンテンツ再生装置２ａ〜２ｄに送信する。コンテンツ再生装置２２の表示制御部１１ｂは、新たな共通コンテンツを受信すると、当該共通コンテンツを直近にレコメンドされた共通コンテンツとしてレコメンド画面に表示する。
【００６６】
この結果、図９に示すように、コンテンツ再生装置２ｂのレコメンド画面では、直近にレコメンドされた共通コンテンツが新たなコンテンツである「ビーチファッション」に変更され、「ビーチヨガ」は、前回レコメンドされた共通コンテンツとして表示領域Ｒ１に表示される。なお、図９では省略されているが、表示領域Ｒ３，Ｒ４も、表示領域Ｒ１と同様に変化する。
【００６７】
同様に、コンテンツ再生装置２ａの表示制御部１１ａは、新たな共通コンテンツを受信すると、当該共通コンテンツを直近にレコメンドされた共通コンテンツとしてレコメンド画面に表示する。この結果、図９に示すように、コンテンツ再生装置２ａのレコメンド画面では、直近にレコメンドされた共通コンテンツが新たなコンテンツである「ビーチファッション」に変更され、「ビーチヨガ」は、前回レコメンドされた共通コンテンツとして表示領域Ｒ２に表示される。なお、図９では省略されているが、表示領域Ｒ３，Ｒ４も、表示領域Ｒ２と同様に変化する。
【００６８】
このように、ユーザＵ２が自装置（コンテンツ再生装置２ｂ）で新たなコンテンツを再生すると、ユーザＵ２と他のユーザとの共通コンテンツが自動的に更新され、新たな共通コンテンツが他のユーザにレコメンドされる。
【００６９】
以上説明した通り、レコメンドシステム１００は、各ユーザに他のユーザとの共通コンテンツをレコメンドすることができる。これにより、レコメンドシステム１００は、各ユーザに他のユーザとの共通の話題を提供し、車内でのユーザ間のコミュニケーションを活性化させることができる。
【００７０】
なお、上記実施形態に挙げた構成等に、その他の要素との組み合わせなど、ここで示した構成に本発明が限定されるものではない。これらの点に関しては、本発明の趣旨を逸脱しない範囲で変更可能であり、その応用形態に応じて適切に定めることができる。
【符号の説明】
【００７１】
１：レコメンドサーバ
２，２１〜２４：コンテンツ再生装置
３：中継装置
４：コンテンツ配信サーバ
１１，１１ａ〜１１ｄ：表示制御部
１２：嗜好情報収集部
１３：コンテンツ記憶部
１４：コンテンツ選択部
１５：レコメンド部
【図１】
2019109725.tif 000003
【図２】
2019109725.tif 000004
【図３】
2019109725.tif 000005
【図４】
2019109725.tif 000006
【図５】
2019109725.tif 000007
【図６】
2019109725.tif 000008
【図７】
2019109725.tif 000009
【図８】
2019109725.tif 000010
【図９】
2019109725.tif 000011